(57)【要約】【課題】  内部空間を利用することができ、インテリアとしてオシャレな演出をすることができるスピーカーを提供する。【解決手段】  スピーカー本体１を、その前方部位１ａが外部Ｔに露出し、かつ、スピーカー本体１の残部が透明ケース２の内部Ｎに突出するように、透明ケース２に固着する。透明ケース２のケース本体３が開口部を有する。開口部に開閉自在な開閉扉５を枢着する。開閉扉５の閉鎖状態に於て、開閉扉５と、開口部の周端縁との間に隙間11が形成されるように構成する。周端縁に植毛帯12を付設して、スピーカー本体１にて生じる音を外部Ｔへ放出可能であるとともに、隙間11にホコリが入るのを防止するように構成する。【選択図】  図１
0003105852.tif 000002
【実用新案登録請求の範囲】
【請求項１】
スピーカー本体（１）を、その前方部位（１ａ）が外部（Ｔ）に露出し、かつ、該スピーカー本体（１）の残部（１ｂ）が透明ケース（２）の内部（Ｎ）に突出するように、該透明ケース（２）に固着したスピーカーであって、
該透明ケース（２）のケース本体（３）が開口部（４）を有し、該開口部（４）に開閉自在な開閉扉（５）を枢着し、該開閉扉（５）の閉鎖状態に於て、該開閉扉（５）と、上記開口部（４）の周端縁（10）との間に隙間（11）が形成されるように構成し、
さらに、上記周端縁（10）に植毛帯（12）を付設して、上記スピーカー本体（１）にて生じる音を上記植毛帯（12）の存在する上記隙間（11）を介して外部（Ｔ）へ放出可能であるとともに、上記隙間（11）にホコリが入るのを上記植毛帯（12）にて防止するように構成したことを特徴とするスピーカー。
【請求項２】
スピーカー本体（１）を、その前方部位（１ａ）が外部（Ｔ）に露出し、かつ、該スピーカー本体（１）の残部（１ｂ）が透明ケース（２）の内部（Ｎ）に突出するように、該透明ケース（２）に固着したスピーカーであって、
該透明ケース（２）のケース本体（３）が開口部（４）を有し、該開口部（４）に開閉自在な開閉扉（５）を枢着し、該開閉扉（５）の閉鎖状態に於て、該開閉扉（５）と、上記開口部（４）の周端縁（10）との間に隙間（11）が形成されるように構成し、
さらに、上記周端縁（10）に植毛帯（12）を付設して、上記スピーカー本体（１）にて生じる音を上記植毛帯（12）の存在する上記隙間（11）を介して外部（Ｔ）へ放出可能であるとともに、上記隙間（11）にホコリが入るのを上記植毛帯（12）にて防止するように構成し、
かつ、上記スピーカー本体（１）の上記残部（１ｂ）の一部又は全部を被覆する金網（13）と、上記透明ケース（２）の内部（Ｎ）を上下空間に仕切る棚（14）を、備えたことを特徴とするスピーカー。
【考案の詳細な説明】
【技術分野】
【０００１】
本考案は、スピーカーに関する。
【背景技術】
【０００２】
従来、スピーカーボックスを備えたスピーカーが公知である。
【０００３】
しかし、スピーカーボックスは、密閉状であって、内部空間が利用できなかった。また、外観が悪くなるという欠点があった。
【考案の開示】
【考案が解決しようとする課題】
【０００４】
解決しようとする課題は、内部空間が利用できない点である。また、外観が悪くなる点である。
【課題を解決するための手段】
【０００５】
そこで、本考案に係るスピーカーは、スピーカー本体を、その前方部位が外部に露出し、かつ、該スピーカー本体の残部が透明ケースの内部に突出するように、該透明ケースに固着したスピーカーであって；該透明ケースのケース本体が開口部を有し、該開口部に開閉自在な開閉扉を枢着し、該開閉扉の閉鎖状態に於て、該開閉扉と、上記開口部の周端縁との間に隙間が形成されるように構成し；さらに、上記周端縁に植毛帯を付設して、上記スピーカー本体にて生じる音を上記植毛帯の存在する上記隙間を介して外部へ放出可能であるとともに、上記隙間にホコリが入るのを上記植毛帯にて防止するように構成したものである。
【０００６】
また、スピーカー本体を、その前方部位が外部に露出し、かつ、該スピーカー本体の残部が透明ケースの内部に突出するように、該透明ケースに固着したスピーカーであって；該透明ケースのケース本体が開口部を有し、該開口部に開閉自在な開閉扉を枢着し、該開閉扉の閉鎖状態に於て、該開閉扉と、上記開口部の周端縁との間に隙間が形成されるように構成し；さらに、上記周端縁に植毛帯を付設して、上記スピーカー本体にて生じる音を上記植毛帯の存在する上記隙間を介して外部へ放出可能であるとともに、上記隙間にホコリが入るのを上記植毛帯にて防止するように構成し；かつ、上記スピーカー本体の上記残部の一部又は全部を被覆する金網と、上記透明ケースの内部を上下空間に仕切る棚を、備えたものである。
【考案の効果】
【０００７】
本考案のスピーカーによれば、内部空間を利用することができる。また、インテリアとしてオシャレな演出をすることができる。また、スピーカーとして音の質が良質に維持可能である。さらに、開閉扉のびびり音も発生せず、スピーカーとしても優れた性能を保持できる。
【考案を実施するための最良の形態】
【０００８】
図１〜図４は、本考案の第１の実施の形態を示す。このスピーカーは、内部Ｎに鑑賞物Ａ───例えば、植物、写真、置物、テーブルランプ等───を収納して、外部から鑑賞物Ａを鑑賞することができる。コードは、図示省略する。
【０００９】
スピーカー本体１が、その前方部位１ａが外部Ｔに露出し、かつ、スピーカー本体１の残部１ｂが一面開口直方体状の透明ケース２の内部Ｎに突出するように、透明ケース２に固着されている。透明ケース２は、例えば、ガラスやプラスチックから成る。透明ケース２のケース本体３が開口部４を有し、開口部４に開閉自在な開閉扉５が、３個の蝶番６にて、枢着されている。７は把手を示す。ケース本体３に磁石８が固着されるとともに、開閉扉５に磁性体９が固着され、磁石８と磁性体９の間にはたらく磁力によって、開閉扉５の閉鎖状態が保持される。
【００１０】
開閉扉５の閉鎖状態に於て、開閉扉５と、開口部４の周端縁10との間に隙間11が形成されている。周端縁10に植毛帯12を付設して、スピーカー本体１にて生じる音を外部Ｔへ送出可能であるとともに、隙間11にホコリが入るのを防止するように構成されている。植毛帯12は、例えば、布16に植毛Ｓしたものから成る。音は図３の矢印Ｙに示すように外部Ｔへ送り出される。スピーカー本体１の残部１ｂの一部又は全部を被覆する金網13を備える。
【００１１】
図５は、第２の実施の形態を示す。透明ケース２の内部Ｎを上下空間に仕切る棚14を、備える。15は布やスポンジ体等から成るマットを示す。マット15は、鑑賞物Ａが共振するのを防止する。
【００１２】
なお、本考案は、設計変更可能であって、例えば、棚14を備え、棚14よりも上方に開閉扉５を枢着するとともに、全ての（例えば、低音用、中音用、高音用の３個の）スピーカー本体１を棚14よりも下方に配置するも良い。また、鑑賞物Ａを照らすための照明具を付設するも好ましい。また、蝶番６を２個以上で増減させても良い。特に多く設けると、強度的に優れる。また、把手７を省略するも良い。この場合、さらに外観が良くなる。また、内部Ｎの体積は、密閉型のスピーカーを想定した場合の必要最小容量より大きくしておくのが望ましい。また、透明ケース２の形状を、略中空半円柱状とするも良い。
【００１３】
以上のように、本考案は、スピーカー本体１を、その前方部位１ａが外部Ｔに露出し、かつ、スピーカー本体１の残部１ｂが透明ケース２の内部Ｎに突出するように、透明ケース２に固着したスピーカーであって、透明ケース２のケース本体３が開口部４を有し、開口部４に開閉自在な開閉扉５を枢着し、開閉扉５の閉鎖状態に於て、開閉扉５と、開口部４の周端縁10との間に隙間11が形成されるように構成し、さらに、周端縁10に植毛帯12を付設して、スピーカー本体１にて生じる音を上記植毛帯12の存在する上記隙間11を介して外部Ｔへ放出可能であるとともに、隙間11にホコリが入るのを上記植毛帯12にて防止するように構成したので、内部Ｎに鑑賞物Ａを収納して、ディスプレイとしてオシャレな演出をすることができる。また、スペースの有効利用ができる。また、いわゆる開放型となるので、低音用のスピーカー本体１からの低音も、音質が良い音として、外部Ｔに送り出すことができる（十分な低音再生ができる）。また、開放型なので、外形寸法を小さくすることができる。また、開閉扉５の開口部４の周囲全体から音を外部Ｔへ送り出せるので、音楽を聴く人は、バランスの良い響きの音を聴くことができる。
【００１４】
また、スピーカー本体１を、その前方部位１ａが外部Ｔに露出し、かつ、スピーカー本体１の残部１ｂが透明ケース２の内部Ｎに突出するように、透明ケース２に固着したスピーカーであって、透明ケース２のケース本体３が開口部４を有し、開口部４に開閉自在な開閉扉５を枢着し、開閉扉５の閉鎖状態に於て、開閉扉５と、開口部４の周端縁10との間に隙間11が形成されるように構成し、さらに、周端縁10に植毛帯12を付設して、スピーカー本体１にて生じる音を上記植毛帯12の存在する上記隙間11を介して外部Ｔへ放出可能であるとともに、隙間11にホコリが入るのを上記植毛帯12にて防止するように構成し、かつ、スピーカー本体１の残部１ｂの一部又は全部を被覆する金網13と、透明ケース２の内部Ｎを上下空間に仕切る棚14を、備えたので、内部Ｎに鑑賞物Ａを収納して、ディスプレイとしてオシャレな演出をすることができる。また、スペースの有効利用ができる。また、いわゆる開放型となるので、低音用のスピーカー本体１からの低音も、音質が良い音として、外部Ｔに送り出すことができる（十分な低音再生ができる）。また、開放型なので、外形寸法を小さくすることができる。また、開閉扉５の開口部４の周囲全体から音を外部Ｔへ送り出せるので、音楽を聴く人は、バランスの良い響きの音を聴くことができる。また、金網13によって、スピーカー本体１に鑑賞物Ａが衝突した場合にも、スピーカー本体１を保護することができる。また、棚14によって仕切られる上下部の各々に鑑賞物Ａを載置することができるので、比較的小さいものを載置するのに適している。
【図面の簡単な説明】
【００１５】
【図１】第１の実施の形態の使用状態を示す斜視図である。
【図２】断面平面図である。
【図３】要部平面図である。
【図４】要部平面図である。
【図５】第２の実施の形態の使用状態を示す斜視図である。
【符号の説明】
【００１６】
１  スピーカー本体
１ａ  前方部位
１ｂ  残部
２  透明ケース
３  ケース本体
４  開口部
５  開閉扉
10  周端縁
11  隙間
12  植毛帯
13  金網
14  棚
Ｎ  内部
Ｔ  外部
【図１】
0003105852.tif 000003
【図２】
0003105852.tif 000004
【図３】
0003105852.tif 000005
【図４】
0003105852.tif 000006
【図５】
0003105852.tif 000007